(57)【要約】【課題】現場で簡単に組み立てることが可能な、収納効率がよく、使い勝手のよい収納用ユニットルームを、経済的に有利に提供する。【解決手段】床パン１に立設された４枚の壁パネル２１、２２、２３、２４と、天井パネル３と、床パネル４とからなるユニットルームであって、該ユニットルームの上部を天井収納部６とするように上記天井パネル３は壁パネルの上端縁部よりも下方に下げて上記４枚の壁パネル２１、２２、２３、２４と連結され、上記床パネル４と床パン１との間は床下収納部５とされるとともに、正面の壁パネルには出入り口７が設けられる。【選択図】図２
2004162367.tif 000002
【特許請求の範囲】
【請求項１】
床パンに立設された４枚の壁パネルと、天井パネルと、床パネルとからなるユニットルームであって、該ユニットルームの上部を天井収納部とするように上記天井パネルは壁パネルの上端縁部よりも下方に下げて上記４枚の壁パネルと連結され、上記床パネルと床パンとの間は床下収納部とされるとともに、正面の壁パネルには出入り口が設けられた収納用ユニットルーム。
【請求項２】
上記天井パネルには、開口部およびこの開口部を開閉する開閉手段が設けられるとともに、上記開口部の下方には収納棚が設置された請求項１に記載の収納用ユニットルーム。
【請求項３】
上記床パネルには、少なくとも１ケ所の収納物出し入れ部が設けられるとともに、上記床パンの下面に敷設されたスライドレール上に複数の床下収納ケースが移動可能に載置された請求項１に記載の収納用ユニットルーム。
【請求項４】
上記床パンの底部裏面には、高さを調節するためのアジャスタが延設された請求項１に記載の収納用ユニットルーム。
【請求項５】
家庭用電源に接続可能なスイッチ操作部をさらに備えた請求項１に記載の収納用ユニットルーム。
【発明の詳細な説明】
【０００１】
【発明の属する技術分野】
本発明は、ユニットルームに関する。さらに詳しくは、建物内に設けられる収納用ユニットルームに関する。
【０００２】
【従来の技術】
従来、工場で製作された壁パネル、床パネル、天井パネル、支柱等を建物内に持ち込んで、現場で組み立てるユニットルームが知られている（例えば、特許文献１、特許文献２参照。）。
【０００３】
【特許文献１】
特開２０００−２１３１８８号公報（第１−２頁、第１図）
【特許文献２】
実開平３−１２５１５０号公報（第１頁、第２図、第５図）
【０００４】
【発明が解決しようとする課題】
上記、特開２０００−２１３１８８号公報には、浴室や、洗面、トイレ等の水を使用する部分の部屋をユニット化したもので、床パンの周囲に壁パネルを立設して側壁を形成するとともに、壁パネル上端部に天井パネルを連結して天井部を構成したユニットルームが開示されている。本発明は、このように水回り部分を、他の部分と仕切るためにユニット化したものではなく、一般住宅の建屋内の一角をユニット化して収納スペースとし、納戸機能を与えることを目的としてなされたものであり、現場で簡単に組み立てることが可能で、収納効率がよく、かつ、使い勝手のよい収納スペースを、経済的に有利に提供することをその課題とする。
【０００５】
【課題を解決するための手段】
本発明は、上記課題を解決するために考え出されたものであって、つぎのような技術的手段を講じている。すなわち、本発明によれば、床パンの周囲に立設された４枚の壁パネルと、天井パネルと、床パネルとからなるユニットルームであって、該ユニットルームの上部を天井収納部とするように上記天井パネルは壁パネルの上端縁部よりも下方に下げて上記４枚の壁パネルと連結され、上記床パネルと床パンとの間は床下収納部とされるとともに、正面の壁パネルには出入り口が設けられた収納用ユニットルームを提供することができる。このようにユニットルーム化することにより、換気能力、照明等を空間容積に応じて定量化することが可能となるともに、建物の天井付近および床下の空間をも効率的に利用することができる。
【０００６】
上記天井パネルには、開口部およびこの開口部を開閉する開閉手段が設けられるとともに、上記開口部の下方には収納棚が設置される。このようにすることにより、上記収納棚を踏み台とし、上記開口部を通じて収納物を天井収納部に出し入れすることができる。
【０００７】
上記床パネルには、少なくとも１ケ所の収納物出し入れ部が設けられるとともに、上記床パンの下面に敷設されたスライドレール上に複数の床下収納ケースが移動可能に載置される。このようにすることにより、使用者は床下空間を有効に利用することができるとともに、床下収納ケースを簡単にスライド移動させて、所望の品物を使い勝手よく、収納物出し入れ部から取り出すことができる。
【０００８】
上記床パンの底部裏面には、高さを調節するためのアジャスタが延設される。床パンの下部に延設された４本のアジャスタをそれぞれ調節することにより、床パネルの高さを建物内の床面と面一となるように合わせることが可能となり、作業性よく収納用ユニットルームを組み立てることができる。
【０００９】
本発明の収納用ユニットルームは、家庭用電源に接続可能な制御パネルをさらに備えることが好ましい。制御パネルを操作することにより、収納用ユニットルームの内部を照らす照明灯、天井収納部を照らす照明灯や、収納物をカビ等から守るための除湿装置、換気扇等の電気系統をシステム的に制御することができる。
【００１０】
【発明の実施の形態】
以下、本発明の好ましい実施の形態について、図面を参照して、さらに詳細に説明する。図１は、本発明にかかる収納用ユニットルームの外観斜視図である。上記収納用ユニットルームは、床パン１の周囲に立設された４枚の壁パネル２１、２２、２３、２４を側壁とし、壁パネル２１に引戸構造の出入り口７を設け、天井パネル３は壁パネルの上端縁部よりも下方に下げて上記４面の側壁と連結されている。設置面積としては、一般的に、約０．５坪〜約１坪が適当であり、天井パネル３としては、１００ｋｇ以上の荷重に耐えられるものを使用する。
【００１１】
収納用ユニットルームの上部は、壁パネルの上端縁部よりも下方に下げて天井パネル３を設置し、この下がった分を高さとする天井収納部６を形成し、床面と面一の床パネル４と床パン１との間に形成された空間は床下収納部５とされる。また、天井パネル３には、開口部３１が設けられ、この開口部３１に、開閉手段３２としての蓋体が上下に回動自在となるように、ヒンジで結合されている。また、床パネル４には、収納物出し入れ部４１が設けられ、また、床パン１の底部裏面には、アジャスタ１１が延設され、収納用ユニットルーム全体の高さを調節するようにされている。
【００１２】
図２は、図１に示す収納ユニットルームの内部を示す一部切り欠き斜視図である。図２において、天井パネル３に設けられた開口部３１の下方には、天井収納部６へ物を出し入れするときの踏み台を兼ねた収納棚８が設置されている。使用者は、この収納棚８を踏み台とし、蓋体３２を下方に回動させて天井収納部６へ物を収納し、その後、蓋体３２を閉める。本発明における収納棚８の定義の中にはいわゆる上下動自在な可動棚や収納ボックスケース、小型収納タンス等を含む。
【００１３】
図３は、図２におけるＡ−Ａ線に沿う縦断面図であり、図４は、図２におけるＢ−Ｂ線に沿う平断面図である。図３からよくわかるように、側壁２２には、棚板９の間隔を可変とすることができる棚板係止手段９２が設けられ、棚板ラック９１への取付け位置を選べば、棚板９を所望の位置に取付けることができる。また、図３、図４からよくわかるように、床パネル４と床パン１との間に形成された床下収納部５には、床下収納ケース５１が前後あるいは左右に移動できるように、床パン１の下面に敷設されたレール１２上に載置されている。
【００１４】
図３には、収納用ユニットルームの内部を照らす照明灯Ｌ１および天井収納部６を照らす照明灯Ｌ２が、それぞれ、壁面２３、壁面２４に設置されているが、照明灯のみならず、換気扇、除湿装置、電動昇降機能、スライド棚機能等の各種の機能を任意で簡単に付加することができる。これらの電気機器類は、家庭用電源に接続可能な制御パネルＣによってシステム的に制御される。また、さらに鏡を側壁に付設することにより、更衣室等としても利用できる。
【００１５】
【発明の効果】
以上述べたように、請求項１に記載の発明は、床パン１に立設された４枚の壁パネル２１、２２、２３、２４と、天井パネル３と、床パネル４とからなるユニットルームであって、該ユニットルームの上部を天井収納部６とするように上記天井パネル３は壁パネルの上端縁部よりも下方に下げて上記４枚の壁パネル２１、２２、２３、２４と連結され、上記床パネル４と床パン１との間は床下収納部５とされるとともに、正面の壁パネルには出入り口７が設けられた収納用ユニットルームである。このようにユニットルーム化することにより、照明、換気能力等を空間容積に応じて定量化することが可能となるともに、建物の天井付近および床下の空間も効率的に利用することができる。
【００１６】
請求項２に記載の発明は、上記天井パネル３には、開口部３１およびこの開口部３１を開閉する開閉手段３２が設けられるとともに、上記開口部３１の下方には収納棚８が設置される。このようにすることにより、請求項１に記載の発明の効果に加えて、上記収納棚８を踏み台とし、上記開口部３１を通じて収納物を天井収納部６に出し入れすることができる。
【００１７】
請求項３に記載の発明は、上記床パネル４には、少なくとも１ケ所の収納物出し入れ部４１が設けられるとともに、上記床パン１の下面に敷設されたスライドレール１２上に複数の床下収納ケース５１が移動可能に載置される。このようにすることにより、請求項１に記載の発明の効果に加えて、使用者は床下空間を有効に利用することができるとともに、床下収納ケース５１を簡単にスライド移動させて、所望の品物を使い勝手よく、収納物出し入れ部４１から取り出すことができる。
【００１８】
請求項４に記載の発明は、上記床パン１の底部裏面に、高さを調節するためのアジャスタ１１が延設される。床パン１の下部に延設された４本のアジャスタ１１をそれぞれ調節することにより、請求項１に記載の発明の効果に加えて、床パネル４の高さを、建物内の床面と面一となるように合わせ、収納用ユニットルームを作業性よく組み立てることができる。
【００１９】
請求項５に記載の発明は、本発明の収納用ユニットルームが、家庭用電源に接続可能な制御パネルＣをさらに備える。制御パネルＣを操作することにより、請求項１に記載の発明の効果に加えて、収納用ユニットルームの内部を照らす照明灯Ｌ１、天井収納部６を照らす照明灯Ｌ２や、収納物をカビ等から守るための除湿装置、換気扇等の電気系統をシステム的に制御することができる。
【図面の簡単な説明】
【図１】本発明にかかる収納用ユニットルームの外観斜視図である。
【図２】上記収納ユニットルームの内部を示す一部切欠き斜視図である。
【図３】図２におけるＡ−Ａ線に沿う縦断面図である。
【図４】図２におけるＢ−Ｂ線に沿う平断面図である。
【符号の説明】
１          床パン
１１        アジャスタ
２１、２２  壁パネル
２３、２４  壁パネル
３          天井パネル
３１        開口部
３２        開閉手段
４          床パネル
４１        収納物出し入れ部
５          床下収納部
６          天井収納部
７          引戸
８          収納棚
９          棚板
９１        棚板ラック
９２        棚板係止手段
Ｌ１、Ｌ２  照明灯
Ｃ          制御パネル
【図１】
2004162367.tif 000003
【図２】
2004162367.tif 000004
【図３】
2004162367.tif 000005
【図４】
2004162367.tif 000006